【手続補正書】
【提出日】平成17年1月14日(2005.1.14)
【手続補正１】
【補正対象書類名】明細書
【補正対象項目名】特許請求の範囲
【補正方法】変更
【補正の内容】
【特許請求の範囲】
【請求項１】
屈折率ｎを有する厚さｔの光入射側記録層上のカバー層を有する単層情報記録媒体に対して、再生又は記録の互換性を有する多層情報記録媒体であって、
光入射側表面より、第１の記録層と第２の記録層とを順に備え、
前記第２の記録層の光入射側表面からの光学距離ｄ１は、ｄ１＝ｎ×ｔであり、前記第１の記録層の光入射側表面からの光学距離ｄ２は、ｄ２＜ｎ×ｔであることを特徴とする多層情報記録媒体。
【請求項２】
屈折率ｎを有する厚さｔの光入射側記録層上のカバー層を有する単層情報記録媒体に対して、再生又は記録の互換性を有する多層情報記録媒体であって、
光入射側表面より、カバー層、第１の記録層、スペーサ層及び第２の記録層の順に積層され、
前記カバー層の屈折率をｎＣ、厚さをｔＣとし、前記第１の記録層の屈折率をｎＬ１、厚さをｔＬ１とし，スペーサ層の屈折率をｎＳ、厚さをｔＳとすると、前記第２の記録層の光入射側表面からの光学距離ｄ１は、ｄ１＝ｎ×ｔ＝ｎＣ×ｔＣ＋ｎＬ１×ｔＬ１＋ｎＳ×ｔＳであり、前記第１の記録層の光入射側表面からの光学距離ｄ２は、ｄ２＝ｎＣ×ｔＣ＜ｎ×ｔであることを特徴とする多層情報記録媒体。
【請求項３】
屈折率ｎを有する厚さｔの光入射側記録層上のカバー層を有する単層情報記録媒体に対して、再生又は記録の互換性を有する多層情報記録媒体であって、
光入射側表面に対して最深記録層と当該最深記録層より浅い１以上の浅い記録層とを備え、
前記最深記録層の光入射側表面からの光学距離ｄ１は、ｄ１＝ｎ×ｔであり、前記浅い記録層の光入射側表面からの光学距離ｄ２は、ｄ２＜ｎ×ｔであることを特徴とする多層情報記録媒体。
【請求項４】
前記最深記録層及び前記浅い記録層の２層のみからなることを特徴とする請求項３記載の多層情報記録媒体。
【請求項５】
単層情報記録媒体及び多層情報記録媒体のいずれの情報も再生可能な情報再生装置であって、屈折率ｎ及び厚さｔを有する光入射側記録層上のカバー層を有する単層情報記録媒体に対して、下記式ｄ１＝ｎｔを満たす光学距離ｄ１に形成された光入射側から最も深い最深記録層と、下記式ｄ２＜ｎｔを満たす光学距離ｄ２に形成された光入射側から浅い記録層と、を有する多層情報記録媒体を装填された場合、光学距離ｄ１の前記最深記録層に対して最先にフォーカスサーボを実行するフォーカスサーボ回路を有することを特徴とする情報再生装置。
【請求項６】
前記フォーカスサーボ回路は、前記フォーカスサーボの実行後、光学距離ｄ２の前記浅い記録層へとフォーカス位置をジャンプするフォーカスサーボを実行することを特徴とする請求項５記載の情報再生装置。
【請求項７】
０．８以上の開口数を有しかつ光ビームの集光スポットを生ぜしめる対物レンズを備えていることを特徴とする請求項５記載の情報再生装置。
【請求項８】
前記集光スポットに含まれる波面収差量を可変させる波面収差補正手段とを備えていることを特徴とする請求項７記載の情報再生装置。
【請求項９】
前記対物レンズは、光学距離ｄ１離れて集光スポットを結んだときに光ビームの波面収差量を最小とするレンズ群からなることを特徴とする請求項７記載の情報再生装置。
【請求項１０】
単層情報記録媒体及び多層情報記録媒体のいずれの情報も記録可能な情報記録装置であって、屈折率ｎ及び厚さｔを有する光入射側記録層上のカバー層を有する単層情報記録媒体に対して、下記式ｄ１＝ｎｔを満たす光学距離ｄ１に形成された光入射側から最も深い最深記録層と、下記式ｄ２＜ｎｔを満たす光学距離ｄ２に形成された光入射側から浅い記録層と、を有する多層情報記録媒体を装填された場合、光学距離ｄ１の前記最深記録層に対して最先にフォーカスサーボを実行するフォーカスサーボ回路を有することを特徴とする情報記録装置。
【請求項１１】
前記フォーカスサーボ回路は、前記フォーカスサーボの実行後、光学距離ｄ２の前記浅い記録層へとフォーカス位置をジャンプするフォーカスサーボを実行することを特徴とする請求項１０記載の情報記録装置。
【請求項１２】
０．８以上の開口数を有しかつ光ビームの集光スポットを生ぜしめる対物レンズを備えていることを特徴とする請求項１０記載の情報記録装置。
【請求項１３】
前記集光スポットに含まれる波面収差量を可変させる波面収差補正手段とを備えていることを特徴とする請求項１２記載の情報記録装置。
【請求項１４】
前記対物レンズは、光学距離ｄ１離れて集光スポットを結んだときに光ビームの波面収差量を最小とするレンズ群からなることを特徴とする請求項１２記載の情報記録装置。
【請求項１５】
請求項１〜４のいずれかに記載の多層情報記録媒体から情報を再生することを特徴とする情報再生装置。
【手続補正２】
【補正対象書類名】明細書
【補正対象項目名】発明の名称
【補正方法】変更
【補正の内容】
【発明の名称】多層情報記録媒体、情報再生装置及び情報記録装置
【手続補正３】
【補正対象書類名】明細書
【補正対象項目名】０００８
【補正方法】変更
【補正の内容】
【０００８】
本発明は、このような状況に鑑みてなされたもので、０．８以上の大きな開口数を有する対物レンズを用いて情報の記録再生を行う場合においても素早いデータ再生を可能にし、さらに、多層情報記録媒体ディスクの作製にあたっても単層と同等の平面性をもって作成することが可能な多層情報記録媒体、情報再生装置及び情報記録装置を提供することを目的とする。
【手続補正４】
【補正対象書類名】明細書
【補正対象項目名】０００９
【補正方法】変更
【補正の内容】
【０００９】
【課題を解決するための手段】
請求項１記載の多層情報記録媒体は、屈折率ｎを有する厚さｔの光入射側記録層上のカバー層を有する単層情報記録媒体に対して、再生又は記録の互換性を有する多層情報記録媒体であって、
光入射側表面より、第１の記録層と第２の記録層とを順に備え、
前記第２の記録層の光入射側表面からの光学距離ｄ１は、ｄ１＝ｎ×ｔであり、前記第１の記録層の光入射側表面からの光学距離ｄ２は、ｄ２＜ｎ×ｔであることを特徴とする。
請求項２記載の多層情報記録媒体は、屈折率ｎを有する厚さｔの光入射側記録層上のカバー層を有する単層情報記録媒体に対して、再生又は記録の互換性を有する多層情報記録媒体であって、
光入射側表面より、カバー層、第１の記録層、スペーサ層及び第２の記録層の順に積層され、
前記カバー層の屈折率をｎＣ、厚さをｔＣとし、前記第１の記録層の屈折率をｎＬ１、厚さをｔＬ１とし，スペーサ層の屈折率をｎＳ、厚さをｔＳとすると、前記第２の記録層の光入射側表面からの光学距離ｄ１は、ｄ１＝ｎ×ｔ＝ｎＣ×ｔＣ＋ｎＬ１×ｔＬ１＋ｎＳ×ｔＳであり、前記第１の記録層の光入射側表面からの光学距離ｄ２は、ｄ２＝ｎＣ×ｔＣ＜ｎ×ｔであることを特徴とする。
請求項３記載の多層情報記録媒体は、屈折率ｎを有する厚さｔの光入射側記録層上のカバー層を有する単層情報記録媒体に対して、再生又は記録の互換性を有する多層情報記録媒体であって、
光入射側表面に対して最深記録層と当該最深記録層より浅い１以上の浅い記録層とを備え、
前記最深記録層の光入射側表面からの光学距離ｄ１は、ｄ１＝ｎ×ｔであり、前記浅い記録層の光入射側表面からの光学距離ｄ２は、ｄ２＜ｎ×ｔであることを特徴とする。
請求項５記載の情報再生装置は、単層情報記録媒体及び多層情報記録媒体のいずれの情報も再生可能な情報再生装置であって、屈折率ｎ及び厚さｔを有する光入射側記録層上のカバー層を有する単層情報記録媒体に対して、下記式ｄ１＝ｎｔを満たす光学距離ｄ１に形成された光入射側から最も深い最深記録層と、下記式ｄ２＜ｎｔを満たす光学距離ｄ２に形成された光入射側から浅い記録層と、を有する多層情報記録媒体を装填された場合、光学距離ｄ１の前記最深記録層に対して最先にフォーカスサーボを実行するフォーカスサーボ回路を有することを特徴とする。
請求項１０記載の情報記録装置は、単層情報記録媒体及び多層情報記録媒体のいずれの情報も記録可能な情報記録装置であって、屈折率ｎ及び厚さｔを有する光入射側記録層上のカバー層を有する単層情報記録媒体に対して、下記式ｄ１＝ｎｔを満たす光学距離ｄ１に形成された光入射側から最も深い最深記録層と、下記式ｄ２＜ｎｔを満たす光学距離ｄ２に形成された光入射側から浅い記録層と、を有する多層情報記録媒体を装填された場合、光学距離ｄ１の前記最深記録層に対して最先にフォーカスサーボを実行するフォーカスサーボ回路を有することを特徴とする。
請求項１５記載の情報再生装置は、請求項１〜４のいずれかに記載の多層情報記録媒体から情報を再生することを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】